Podtech/llm-jp-corpus-v4-ja_patent huggingface dataset:
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
基材上にそれぞれプラズマ重合膜を備えた第１の被着体および第２の被着体を用意する第１の工程と、
前記第１の被着体および前記第２の被着体の各プラズマ重合膜の表面にそれぞれエネルギーを付与して、該各プラズマ重合膜の表面を活性化させる第２の工程と、
該活性化させた各プラズマ重合膜の表面同士を密着させるように、前記第１の被着体と前記第２の被着体とを貼り合わせ、接合体を得る第３の工程とを有することを特徴とする接合方法。
【請求項２】
前記各プラズマ重合膜は、それぞれポリオルガノシロキサンを主材料として構成されている請求項１に記載の接合方法。
【請求項３】
前記ポリオルガノシロキサンは、オクタメチルトリシロキサンの重合物を主成分とするものである請求項２に記載の接合方法。
【請求項４】
前記各プラズマ重合膜の平均厚さは、それぞれ１０〜１００００ｎｍである請求項１ないし３のいずれかに記載の接合方法。
【請求項５】
前記第２の工程において、前記各プラズマ重合膜の表面に、それぞれエネルギー線を照射する請求項１ないし４のいずれかに記載の接合方法。
【請求項６】
前記エネルギー線は、波長１５０〜３００ｎｍの紫外光である請求項５に記載の接合方法。
【請求項７】
前記第２の工程は、大気雰囲気中で行われる請求項１ないし６のいずれかに記載の接合方法。
【請求項８】
前記第３の工程の後、前記接合体に熱処理を施す工程を有する請求項１ないし７のいずれかに記載の接合方法。
【請求項９】
前記熱処理の温度は、２５〜１００℃である請求項８に記載の接合方法。
【請求項１０】
前記第３の工程の後、前記接合体を加圧する工程を有する請求項１ないし９のいずれかに記載の接合方法。
【請求項１１】
前記接合体を加圧する際の圧力は、１〜１０ＭＰａである請求項１０に記載の接合方法。
【請求項１２】
前記第２の工程の終了後、６０分以内に、前記第３の工程を開始する請求項１ないし１１のいずれかに記載の接合方法。
【請求項１３】
前記第１の被着体および前記第２の被着体は、それぞれ、あらかじめ前記各基材上にプラズマによる下地処理を施した後、該下地処理を施した領域に前記プラズマ重合膜を形成してなるものである請求項１ないし１２のいずれかに記載の接合方法。
【請求項１４】
前記２つの基材は、それぞれ剛性が異なっている請求項１ないし１３のいずれかに記載の接合方法。
【請求項１５】
２つの基材と、
プラズマ重合膜と、を有し、
前記２つの基材が、前記プラズマ重合膜を介して接合されていることを特徴とする接合体。
【請求項１６】
前記プラズマ重合膜は、前記２つの基材の表面にそれぞれあらかじめ形成されたプラズマ重合膜同士を、接合してなるものである請求項１５に記載の接合体。
【請求項１７】
前記２つの基材間の接合強度は５ＭＰａ以上である請求項１５または１６に記載の接合体。
【請求項１８】
インク室基板と、
前記インク室基板の一方の面に設けられ、インクをインク滴として吐出するノズル孔を備えたノズル板と、
前記インク室基板の他方の面に設けられた振動板と、
を備えるヘッド本体を有し、
前記インク室基板と前記ノズル板との間および前記インク室基板と前記振動板との間のうちの少なくとも一方が、プラズマ重合膜を介して接合されていることを特徴とする液滴吐出ヘッド。
【請求項１９】
前記液滴吐出ヘッドは、前記ヘッド本体を収納する基体を備え、該基体と前記ノズル板との間が、前記プラズマ重合膜で接合されている請求項１８に記載の液滴吐出ヘッド。
【請求項２０】
前記インク室基板、前記ノズル板、前記振動板および前記基体のうち、接合されるそれぞれの面に、あらかじめ前記プラズマ重合膜を形成し、該プラズマ重合膜同士を接合してなるものである請求項１９に記載の液滴吐出ヘッド。
【請求項２１】
前記プラズマ重合膜は、ポリオルガノシロキサンを含むものである請求項１８ないし２０のいずれかに記載の液滴吐出ヘッド。
【請求項２２】
前記ポリオルガノシロキサンは、オクタメチルトリシロキサンの重合物を成分とするものである請求項２１に記載の液滴吐出ヘッド。
【請求項２３】
前記プラズマ重合膜の平均厚さは、１０〜１００００ｎｍである請求項１８ないし２２のいずれかに記載の液滴吐出ヘッド。
【請求項２４】
請求項１８ないし２３のいずれかに記載の液滴吐出ヘッドを備えることを特徴とする液滴吐出装置。
【手続補正２】
【補正対象書類名】明細書
【補正対象項目名】００１７
【補正方法】変更
【補正の内容】
【００１７】
本発明の接合体は、２つの基材と、
プラズマ重合膜とを有し、
前記２つの基材が、前記プラズマ重合膜を介して接合されていることを特徴とする。
これにより、２つの基材同士を高い寸法精度で強固に接合してなる接合体が得られる。
本発明の接合体では、前記プラズマ重合膜は、前記２つの基材の表面にそれぞれあらかじめ形成されたプラズマ重合膜同士を、接合してなるものであることが好ましい。
これにより、２つの基材同士を高い寸法精度で特に強固に接合してなる接合体が得られる。
本発明の接合体では、前記２つの基材間の接合強度は５ＭＰａ以上であることが好ましい。
これにより、接合体は、その剥離を十分に防止し得るものとなる。
本発明の液滴吐出ヘッドは、インク室基板と、
前記インク室基板の一方の面に設けられ、インクをインク滴として吐出するノズル孔を備えたノズル板と、
前記インク室基板の他方の面に設けられた振動板と、
を備えるヘッド本体を有し、
前記インク室基板と前記ノズル板との間および前記インク室基板と前記振動板との間のうちの少なくとも一方が、プラズマ重合膜を介して接合されていることを特徴とする。
本発明の液滴吐出ヘッドは、前記ヘッド本体を収納する基体を備え、該基体と前記ノズル板との間が、前記プラズマ重合膜で接合されていることが好ましい。
本発明の液滴吐出ヘッドでは、前記インク室基板、前記ノズル板、前記振動板および前記基体のうち、接合されるそれぞれの面に、あらかじめ前記プラズマ重合膜を形成し、該プラズマ重合膜同士を接合してなるものであることが好ましい。
本発明の液滴吐出ヘッドでは、前記プラズマ重合膜は、ポリオルガノシロキサンを含むものであることが好ましい。
本発明の液滴吐出ヘッドでは、前記ポリオルガノシロキサンは、オクタメチルトリシロキサンの重合物を成分とするものであることが好ましい。
本発明の液滴吐出ヘッドでは、前記プラズマ重合膜の平均厚さは、１０〜１００００ｎｍであることが好ましい。
本発明の液滴吐出装置は、本発明の液滴吐出ヘッドを備えることを特徴とする。
これにより、信頼性の高い液滴吐出装置が得られる。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
アルコールの改質反応を起こす反応器であって、
支持体と
前記支持体上に形成される多孔質体である素地膜と、前記素地膜に分散して配置され前記改質反応に寄与する粒子状の触媒と、を含む複合触媒層と、
を備え、
前記素地膜は、少なくとも前記触媒を構成する材料を含むことを特徴とする反応器
【請求項２】
前記触媒はＰｄ／ＺｎＯであることを特徴とする請求項１に記載の反応器。
【請求項３】
前記素地膜はＺｎＯであることを特徴とする請求項１又は２に記載の反応器。
【請求項４】
前記複合触媒層は多結晶であることを特徴とする請求項１〜３の何れか一項に記載の反応器。
【請求項５】
前記複合触媒層の結晶格子径と細孔径がほぼ等しいことを特徴とする請求項１〜４の何れか一項に記載の反応器。
【請求項６】
前記支持体と前記複合触媒層の間に、さらに中間層を形成し、前記中間層が前記素地膜と同じ材料で構成されていることを特徴とする請求項１〜５に何れか一項に記載の反応器。
【請求項７】
請求項１〜６の何れか一項に記載の反応器を製造する反応器の製造方法において、
前記素地膜となる材料の溶液に前記触媒の材料を分散した触媒溶液を前記支持体上に塗布し、その後、焼成処理を施すことによって前記複合触媒層を形成することを特徴とする反応器の製造方法。
【請求項８】
前記支持体上に中間層となる材料を有する溶液を塗布することによって中間層を形成し、
前記中間層に前記触媒溶液を塗布し、その後焼成処理を施し、前記複合触媒層を前記中間層上に形成することを特徴とする請求項７に記載の反応器の製造方法。
【手続補正２】
【補正対象書類名】明細書
【補正対象項目名】発明の名称
【補正方法】変更
【補正の内容】
【発明の名称】反応器及び反応器の製造方法
【手続補正３】
【補正対象書類名】明細書
【補正対象項目名】０００１
【補正方法】変更
【補正の内容】
【０００１】
本発明は、反応器及び反応器の製造方法に関する。
【手続補正４】
【補正対象書類名】明細書
【補正対象項目名】０００６
【補正方法】変更
【補正の内容】
【０００６】
しかしながら、上記従来のプレート型触媒及びその製造方法においては、次のような問題があった。まず、触媒層と触媒支持体との付着強度を確保するために、三次元網目構造のような特殊な処理を施した触媒支持体を必要とし、このような処理をするための工数とコストを要するという問題がある。或いは、予め触媒支持体に、触媒材料と親和性が高い金属酸化物薄膜などの層を設けて付着強度の向上を図る必要がある。具体的には、プレート支持体上へのコージェライトやムライトなどのセラミックスの形成や、アルコキシドの加水分解法による酸化物ゾル膜形成等の方法があるが、これらにおいても、この層形成のための工数やコストを要する。
本発明は、上記事情に鑑みてなされたもので、容易に支持体への付着強度の向上を図ることができる反応器及び反応器の製造方法を提供することを目的としている。
【手続補正５】
【補正対象書類名】明細書
【補正対象項目名】０００７
【補正方法】変更
【補正の内容】
【０００７】
上記課題を解決するため、請求項１の発明の反応器は、アルコールの改質反応を起こす反応器であって、支持体と、前記支持体上に形成される多孔質体である素地膜と、前記素地膜に分散して配置され前記改質反応に寄与する粒子状の触媒と、を含む複合触媒層と、を備え、前記素地膜は、少なくとも前記触媒を構成する材料を含むことを特徴とする。
前記触媒は、Ｐｄ／ＺｎＯであることが好ましい。
前記素地膜が、ＺｎＯであることが好ましい。
前記複合触媒層は多結晶であることが好ましい。
前記複合触媒層の結晶格子径と細孔径がほぼ等しいことが好ましい。
また反応器は、前記支持体と前記複合触媒層の間に、さらに中間層を形成し、前記中間層が前記素地膜と同じ材料で構成されてもよい。
これら反応器を製造する反応器の製造方法として、
前記素地膜となる材料の溶液に前記触媒の材料を分散した触媒溶液を前記支持体上に塗布し、その後、焼成処理を施すことによって前記複合触媒層を形成してもよい。
或いは、前記支持体上に中間層となる材料を有する溶液を塗布することによって中間層を形成し、前記中間層に前記触媒溶液を塗布し、その後焼成処理を施し、前記複合触媒層を前記中間層上に形成してもよい。
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
金属の研磨方法であって、
（１）前記研磨方法は、研磨液中に研磨対象金属を浸漬し、前記研磨液に紫外線を照射し
ながら、前記研磨対象金属を研磨する方法であり、
（２）前記研磨液は、下記化学式（Ｉ）
【化１】
2008307659.tif 000001
で示される蛍光材料の水溶液に、粒径が０．００１〜０．５μｍである酸化アルミニウム粒子及び粒径が０．００７〜０．１μｍである酸化チタン粒子の少なくとも１種を懸濁させてなることを特徴とする研磨方法。
【請求項２】
前記研磨液中の前記蛍光材料の濃度が、０．１５〜０．２５重量％である、請求項１に記
載の研磨方法。
【請求項３】
紫外線の波長が２５４ｎｍである、請求項１又は２に記載の研磨方法。
【請求項４】
紫外線が真空紫外線である、請求項１又は２に記載の研磨方法。
【請求項５】
前記研磨液に紫外線を照射する時間が４〜８時間である、請求項１〜４のいずれかに記載
の研磨方法。
【請求項６】
前記研磨液の温度が４０℃以上である、請求項１〜５のいずれかに記載の研磨方法。
【請求項７】
前記研磨液のｐＨが２以上である、請求項１〜６のいずれかに記載の研磨方法。
【請求項８】
研磨対象金属が、銅である請求項１〜７のいずれかに記載の研磨方法。
【請求項９】
研磨対象金属が、液晶ディスプレイのバックライト用電極である請求項１〜８のいずれか
に記載の研磨方法。
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
コバルトを含有する母材により形成された樹脂成形用金型であって、当該樹脂成形用金型の成形時に樹脂が接触する表面部分から、前記コバルトの一部が除去されていることを特徴とする樹脂成形用金型。
【請求項２】
前記樹脂成形用金型表面に、酸またはアルカリを接触させることにより前記樹脂成形用金型の表面から前記コバルトが除去されていることを特徴とする請求項１記載の樹脂成形用金型。
【請求項３】
前記酸または前記アルカリはシート体に含有され、当該シート体を前記樹脂成形用金型の表面に押圧させることにより前記コバルトが除去されていることを特徴とする請求項２記載の樹脂成形用金型。
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
下端に開口する中空部を有して車体の側方に設けられたアウター部材と、
前記アウター部材の前記中空部に上下移動自在に挿入され前記開口から下方に突出移動
自在な中空形状のインナー部材と、
一方側の端部において前記インナー部材の下端部と上下に揺動可能に連結されて他方側
に延びるリンクアームと、
前記リンクアームの前記他方側の端部の下面に連結された接地板と、
上端部が前記アウター部材に枢結されて前記インナー部材の中空空間内を通って下方に
延び、下端部が前記リンクアームの中間部と枢結された上下方向に伸縮自在な伸縮手段と
を有したジャッキ装置。
【請求項２】
前記接地板は、前記リンクアームに対して揺動可能に連結されており、
前記リンクアームに、前記接地板と当接して前記接地板の所定角度以上の揺動を規制す
る接地板支持部が設けられたことを特徴とする請求項１に記載のジャッキ装置。
【請求項３】
前記リンクアームは、前記他方側の前記端部において前記アウター部材の前記開口と当
接可能に前記インナー部材の前記一方側から前記他方側に延びるとともに、
前記リンクアームは、前記他方側の上面において前記インナー部材の前記他方側下端で
形成された下端当接部と当接する上面当接部を有し、
前記伸縮手段を縮小させることにより、前記リンクアームの前記他方側の前記端部と前
記アウター部材の前記開口とが当接し、更に前記伸縮手段を縮小させることにより前記伸
縮手段と前記リンクアームとが枢結された枢結軸を中心として前記リンクアームの前記一
方側の前記端部が上方に揺動して傾斜した状態となり、前記リンクアームを前記アウター
部材の前記中空部に格納し、
前記伸縮手段を下方に伸長させることにより、前記リンクアームの前記他方側の前記端
部が前記アウター部材の前記開口から下方に突出し前記インナー部材が下方に移動して、
前記枢結軸を中心として前記リンクアームの前記他方側の前記端部が上方に揺動し、前記
リンクアームの前記上面当接部と前記インナー部材の前記下端当接部とが当接するととも
に前記接地板を前記他方側へ移動させ、更に前記伸縮手段を伸長させることにより前記接
地板が接地して前記インナー部材の前記下端当接部および前記伸縮手段により前記接地板
からの反力に抗して、前記車体を支持することを特徴とする請求項１または２に記載のジ
ャッキ装置。
【請求項４】
前記リンクアームは、前記インナー部材と当接して前記枢結軸を中心として前記リンク
アームの前記他方側が所定角度を越えて下方に揺動することを規制する規制手段を備えて
いることを特徴とする請求項１〜３のいずれかに記載のジャッキ装置。
【請求項５】
前記インナー部材および前記リンクアームの一方に、前記リンクアームが前記枢結軸を
中心とする揺動位置を検出する変位検出手段が設置されていることを特徴とする請求項１
〜4のいずれかに記載のジャッキ装置。
【請求項６】
前記インナー部材および前記リンクアームの他方に、前記リンクアームの前記他方側を
下方へ揺動可能な付勢力を発生させる付勢手段が設置され、
前記アウター部材に作用する荷重が変化したとき、前記付勢力によって前記枢結軸を中
心として前記リンクアームの前記他方側が下方へ揺動し、前記変位検出手段が前記リンク
アームの下方への揺動変位を検出することを特徴とする請求項５に記載のジャッキ装置。
【手続補正２】
【補正対象書類名】明細書
【補正対象項目名】０００８
【補正方法】変更
【補正の内容】
【０００８】
前記課題を解決するために本発明に係るジャッキ装置は、下端に開口する中空部を有し
て車体の側方に設けられたアウター部材と、前記アウター部材の前記中空部に上下移動自
在に挿入され前記開口から下方に突出移動自在な中空形状のインナー部材と、一方側の端
部において前記インナー部材の下端部と上下に揺動可能に連結されて他方側に延びるリン
クアームと、前記リンクアームの前記他方側の端部の下面に連結された接地板と、上端部
が前記アウター部材に枢結されて前記インナー部材の中空空間内を通って下方に延び、下
端部が前記リンクアームの中間部と枢結された上下方向に伸縮自在な伸縮手段とを有して
構成されている。なお、前記接地板は、前記リンクアームに対して揺動可能に連結されて
おり、前記リンクアームに、前記接地板と当接して前記接地板の所定角度以上の揺動を規
制する接地板支持部（例えば、実施形態における下方支持面２２ｃ，２３ｃ）が設けられ
たことが好ましい。
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
周方向に延びる複数の周方向溝と、前記周方向溝と交差する方向に延びる複数のラグ溝とで区画された複数のブロックをトレッドに備えた空気入りタイヤであって、
前記ブロックの蹴り出し側でかつトレッド幅方向最外側の第１の角部側に、前記第１の角部を構成する２辺の二等分線に対して、９０°±２０°の角度で交差し、かつ前記周方向溝、及び前記ラグ溝よりも溝幅が狭くかつ溝深さが浅く設定された第１の細溝を形成し、
前記２等分線上で計測する前記第１の角部から前記第１の細溝までの距離を５ｍｍ以上１０ｍｍ以下に設定する、ことを特徴とする空気入りタイヤ。
【請求項２】
前記ブロックの踏み込み側でかつトレッド幅方向最外側の第２の角部側に、前記第２の角部を構成する２辺の二等分線に対して、９０°±２０°の角度で交差し、かつ前記周方向溝、及び前記ラグ溝よりも溝幅が狭くかつ溝深さが浅く設定された第２の細溝を形成し、
前記２等分線上で計測する前記第２の角部から前記第２の細溝までの距離を５ｍｍ以上１０ｍｍ以下に設定する、ことを特徴とする請求項１に記載の空気入りタイヤ。
【請求項３】
前記第１の細溝、及び前記第２の細溝は、溝幅が２〜４ｍｍの範囲内に設定されている、ことを特徴とする請求項１または請求項２に記載の空気入りタイヤ。
【請求項４】
前記第１の細溝、及び前記第２の細溝は、溝深さが２〜４ｍｍの範囲内に設定されている、ことを特徴とする請求項１〜３の何れか１項に記載の空気入りタイヤ。
【手続補正２】
【補正対象書類名】明細書
【補正対象項目名】０００８
【補正方法】変更
【補正の内容】
【０００８】
ブロックの蹴り出し側でかつトレッド幅方向最外側の第１の角部側に、第１の角部を構成する２辺の二等分線に対して、９０°±２０°の角度で交差し、かつ周方向溝、及びラグ溝よりも溝幅が狭くかつ溝深さが浅く設定された第１の細溝を形成することで、第１の角部側で発生した偏摩耗が、ブロックの踏み込み側に向かって斜め内側（ブロック中央側）に進展することを抑制できる。
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
表面に複数種類の図柄を含む環状の図柄列が形成された複数の可動表示体を備えた図柄変動表示装置を備え、前記図柄変動表示装置は前記複数の可動表示体を回転させて図柄の表示を変動させる一方、前記複数の可動表示体の回転を停止させて前記各可動表示体について前記図柄列の一部を構成する所定個数分の図柄群を前記図柄変動表示装置内の所定箇所に表示可能とする図柄表示部を有し、遊技価値の投入と遊技者の始動操作により複数の前記可動表示体の回転を開始させ、全ての前記可動表示体の停止操作が受け付けられると、前記図柄表示部に１回のゲームの結果を表示する遊技機であって、
１回のゲームごとに予め決められた複数の当選役及びハズレ役の中からいずれかを選び出す抽選を行う内部抽選手段と、
前記内部抽選手段による内部抽選の結果に基づいて、回転する複数の前記可動表示体の停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
前記内部抽選の結果として選び出される前記当選役として、所定期間にて遊技価値の付与される機会を増加させた特別遊技状態に遊技状態を移行させる契機となる特別当選役を少なくとも有し、
前記特別当選役が前記内部抽選の結果として選び出されると、当該ゲームから前記特別当選役に対応する図柄の組み合わせ態様が導出されることを許容する特別当選役図柄導出許容手段と、
前記特別当選役図柄導出許容手段により前記特別当選役に対応する図柄の組み合わせ態様を導出することが許容された特別当選役許容遊技では、前記特別当選役を含む全ての前記当選役及びハズレ役を抽選対象として前記内部抽選を実行する抽選対象不変更手段と、
前記特別当選役許容遊技において前記内部抽選の結果として再度、新たに前記特別当選役が選び出された場合、これを次回特別当選役として、当該特別当選役を契機とした前記特別遊技状態が終了するまで前記次回特別当選役に対応する図柄の組み合わせ態様が導出されることを許容せずに持ち越す次回特別当選役図柄導出持越手段と
を備えることを特徴とする遊技機。
【請求項２】
前記特別当選役許容遊技では、所定期間に消費される遊技価値の総数の多い通常遊技状態に比べて、前記消費される遊技価値の総数の少ない有利遊技状態にてゲームの進行を制御する有利遊技状態制御手段をさらに備える
請求項１に記載の遊技機。
【請求項３】
前記有利遊技状態では、所定の当選役が前記内部抽選の結果として選び出される割合を高くする所定当選役選出割合向上手段をさらに備え、
前記所定当選役選出割合向上手段は、前記所定の当選役として前記特別当選役とは別の当選役をその対象として、少なくとも２回に１回程度の割合で前記所定の当選役が前記内部抽選の結果として選び出されるべく前記選出割合を向上させる
請求項２に記載の遊技機。
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
遊技盤の表面に形成された遊技領域内に遊技球を打出すための発射装置と、遊技球を貯留可能な球貯留皿とを備える遊技機であって、
前記球貯留皿は、
前記遊技機の前面側に突出して設けられ、上方に開口した収容凹部が形成された皿本体と、
該皿本体に取付けられ、前記収容凹部の背面を構成する板状の背板部材と、
前記収容凹部に載置収容され、上方が開口した球受凹部が形成された球受皿と、
前記球受皿の縁部を囲うように設けられ、発光体が取付けられる発光体取付部材と、
該発光体取付部材に取付けられ、前記球受皿の縁部を囲う位置に配置される発光体が設けられる発光体基板と、
前記発光体に臨む態様で前記発光体取付部材の上方に設けられる透光性を有した透光部材とを備え、
前記球受皿、前記発光体基板、前記発光体取付部材、および、前記透光部材は、前記収容凹部に収容される態様で前記皿本体に取付けられ、背面側に前記背板部材が取付けられたことを特徴とする、遊技機。
【請求項２】
前記球受皿と前記皿本体の収容凹部との間には、隙間が形成され、
当該隙間に前記発光体取付部材および前記透光部材が取付けられ、
前記透光部材は、前記隙間と同様の形状に形成され、前記球受皿と前記皿本体とを連結する態様で前記球受皿および前記皿本体に取付けられたことを特徴とする、請求項１に記載の遊技機。
【請求項３】
前記発光体基板および前記発光体取付部材は、前記球受皿と前記皿本体の収容凹部との間の隙間に沿う形状で形成され、
前記発光体取付部材は、
前記隙間における下部で当該隙間に沿う形状で形成され、前記発光体基板が上面側に取付けられる下部取付部と、
前記隙間における上部で当該隙間に沿う形状で形成され、前記透光部材が上面側に取付けられる上部取付部とを備え、
前記透光部材は、当該透光部材と前記上部取付部との間に光拡散シートを挟んだ態様で、前記上部取付部の上面側に取付けられたことを特徴とする、請求項２に記載の遊技機。
【請求項４】
前記皿本体における左右両側部に設けられた発光部をさらに備えたことを特徴とする、請求項１から３のいずれかに記載の遊技機。
【請求項５】
所定の異常状態が遊技機において発生したことを検出する異常検出手段と、
該異常検出手段によって所定の異常状態が検出されたときに異常報知を実行する異常報知手段とをさらに備え、
該異常報知手段は、前記皿本体における左右両側部に設けられた発光部の発光状態を制御することによって異常報知を実行することを特徴とする、請求項４に記載の遊技機。
【請求項６】
前記発射装置に供給する遊技球を貯留可能な打球供給皿をさらに備え、
前記球貯留皿は、前記打球待機皿から溢れた余剰球を貯留可能であり、
遊技の進行を制御し、演出用の電気部品を制御させるための演出制御コマンドを送信する遊技制御手段と、
前記遊技制御手段が送信した前記演出制御コマンドに応じて、前記発光体基板の発光体を含む前記電気部品を制御する演出制御手段とをさらに備え、
前記演出制御コマンドは、前記球貯留皿に所定量以上の遊技球が貯留された状態である満杯状態となったことに基づいて出力される演出制御コマンドを含み、
前記演出制御手段は、前記演出制御コマンドに基づいて、前記電気部品を制御するための制御信号をシリアル信号方式で出力する出力手段を含み、
該出力手段から入力された前記制御信号をシリアル信号方式からパラレル信号方式に変換して前記電気部品に出力するシリアル−パラレル変換回路をさらに備え、
前記演出制御手段は、前記遊技制御手段から前記球貯留皿に所定量以上の遊技球が貯留された状態である満杯状態となったことに基づいて出力される演出制御コマンドが送信されたことに基づいて、前記発光体基板の発光体により前記球貯留皿の満杯状態を報知するための制御信号をシリアル信号方式で出力することにより、前記発光体基板の発光体の発光状態を制御して満杯状態を報知する制御を行なう満杯報知制御手段を含むことを特徴とする、請求項１から５のいずれかに記載の遊技機。
【請求項７】
前記打球供給皿及び球貯留皿が表面側に設けられる保持枠と、
前記打球供給皿から溢れた余剰球を前記球貯留皿に誘導する余剰球誘導通路と、
前記球貯留皿が貯留された余剰球により満杯になったことを検出する貯留状態検出手段と、
前記保持枠の裏面側に配置され、前記打球供給皿に遊技球を払出す払出機構を有する機構部と、
前記遊技盤に設けられ、前記遊技領域内において該遊技領域内に設けられた入賞口のいずれにも入賞しなかったアウト球を回収するためのアウト球回収口と、  前記アウト球回収口から回収されたアウト球を、前記機構部を介して弾球遊技機外部に流出させるアウト球流出通路とをさらに備え、
前記余剰球誘導通路を、前記打球供給皿から溢れた余剰球が前記機構部を介すことなく前記球貯留皿に誘導されるように前記保持枠の裏面に形成するとともに、該保持枠の裏面における前記余剰球誘導通路近傍に前記貯留状態検出手段を設けたことを特徴とする、請求項６に記載の遊技機。
【手続補正２】
【補正対象書類名】明細書
【補正対象項目名】００１６
【補正方法】変更
【補正の内容】
【００１６】
（６）  前記発射装置に供給する遊技球を貯留可能な打球供給皿（打球供給皿３）をさらに備え、
前記球貯留皿は、前記打球待機皿から溢れた余剰球を貯留可能であり（余剰球受皿４）、
遊技の進行を制御し、演出用の電気部品（各ＬＥＤ２５ａ、２５ｂ、５１、５２、２８ａ、２８ｂ、２８ｃ、２００ａ，２００ｂ、２００ｃ，２０１ａ、２０２ａ、２０３ａ，２０３ｂ、５１２ａ〜５１２ｄ等）を制御させるための演出制御コマンド（演出制御コマンド）を送信する遊技制御手段（遊技制御用マイクロコンピュータ１５６）と、
前記遊技制御手段が送信した前記演出制御コマンドに応じて、前記発光体基板の発光体を含む前記電気部品を制御する演出制御手段（演出制御用マイクロコンピュータ８１）とをさらに備え、
前記演出制御コマンドは、前記球貯留皿に所定量以上の遊技球が貯留された状態である満杯状態となったことに基づいて出力される演出制御コマンド（受皿ＬＥＤ２０２ａを発光させる旨を示す演出制御コマンド）を含み、
前記演出制御手段は、前記演出制御コマンドに基づいて、前記電気部品を制御するための制御信号をシリアル信号方式で出力する出力手段（シリアル出力回路２５３）を含み、
該出力手段から入力された前記制御信号をシリアル信号方式からパラレル信号方式に変換して前記電気部品に出力するシリアル−パラレル変換回路（各盤側ＩＣ基板９８、９９のシリアル−パラレル変換ＩＣ、各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８のシリアル−パラレル変換ＩＣ）をさらに備え、
前記演出制御手段は、前記遊技制御手段から前記球貯留皿に所定量以上の遊技球が貯留された状態である満杯状態となったことに基づいて出力される演出制御コマンドが送信されたことに基づいて、前記発光体基板の発光体により前記球貯留皿の満杯状態を報知するための制御信号をシリアル信号方式で出力することにより、前記発光体基板の発光体の発光状態を制御して満杯状態を報知する制御を行なう満杯報知制御手段（満タン報知制御を実行するプログラム）を含む。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、前記Ｘ線源に対向配置され前記被検体を透過したＸ線を検出するＸ線検出器と、前記Ｘ線源と前記Ｘ線検出器を搭載し前記被検体の周囲を回転するスキャナと、前記Ｘ線検出器で検出した透過Ｘ線量に基づき被検体の断層画像を再構成する画像再構成装置と、前記画像再構成装置で再構成した断層画像を表示する画像表示装置と、前記断層画像の輝度値に基づき各臓器を画像上で抽出する臓器抽出手段と、を備えたＸ線ＣＴ装置において、
前記抽出された臓器の中に基準点を設定し、前記基準点と前記基準点の周囲の画素の輝度値に基づき、前記基準点が設定された臓器に接続している接続血管を特定する接続血管特定手段をさらに備えることを特徴とするＸ線ＣＴ装置。
【請求項２】
請求項１に記載のＸ線ＣＴ装置において、
前記接続血管特定手段は、血管が太くなる方向または分岐角度の大きい方向に接続血管を特定することを特徴とするＸ線ＣＴ装置。
【請求項３】
請求項１または２に記載のＸ線ＣＴ装置において、
前記基準点が設定された臓器と前記接続血管の接続状態に応じて、不適当な術式を警告する術式警告手段をさらに備えることを特徴とするＸ線ＣＴ装置。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
コイン(C)が移動するコイン通路(106)に沿って形成した真偽判別手段(108)の下流に配置したコインセンサ(116)からの信号に基づいて前記コインの通過を検知するようにしたコインセレクタにおいて、
前記コインセンサの上流又は下流の前記コイン通路に転動するコインによって変位されると共に不正を防止するための被動片(302)を配置し、前記被動片の変位を検知する変位センサ（304、306）を設けたことを特徴とするコインセレクタ。
【手続補正２】
【補正対象書類名】明細書
【補正対象項目名】０００６
【補正方法】変更
【補正の内容】
【０００６】
この目的を達成するため、本発明にかかるコインセレクタは以下のように構成される。
請求項１の発明は、コインが移動するコイン通路に沿って形成した真偽判別手段の下流に配置したコインセンサからの信号に基づいて前記コインの通過を検知するコインセレクタにおいて、前記コインセンサの上流又は下流の前記コイン通路を転動するコインによって変位されると共に不正を防止するための被動片を配置し、前記被動片の変位を検知する変位センサを設けたことを特徴とするコインセレクタである。
本発明の第1の好ましい実施の態様は、請求項１のコインセレクタにおいて、さらに、前記変位センサからの出力の不正特徴判別手段を設け、不正特徴を判別した場合、不正信号を出力するようにしたことを特徴とする。
本発明の第2の好ましい実施の態様は、請求項１又は本発明の第1の好ましい実施の態様のコインセレクタにおいて、前記被動片は前記真偽判別手段と前記通過センサとの間の通路に配置した不正防止のための案内体であることを特徴とする。
本発明の第3の好ましい実施の態様は、請求項１又は本発明の第1の好ましい実施の態様のコインセレクタにおいて、前記被動片は前記通過センサの下流に配置した前記コイン通路における前記コインの転動方向の通過は許容するが逆方向の通過を許容しない不正防止のためのシャッタ手段であることを特徴とする。
本発明の第4の好ましい実施の態様は、本発明の第3の好ましい実施の態様のコインセレクタにおいて、前記シャッタ手段は、支軸周りを回動可能な板状体であり、自己モーメントによりに前記コイン通路の遮蔽位置に保持され、かつ、前記コイン通路を転動するコインに押されて開放位置へ移動され、逆方向からの押動時は前記遮蔽位置に保持されることを特徴とする。
【手続補正３】
【補正対象書類名】明細書
【補正対象項目名】０００８
【補正方法】変更
【補正の内容】
【０００８】
本発明の第1の好ましい実施の態様において、本発明のコインセレクタは不正特徴判別手段を備えている。
これにより、コインセンサ及び変位センサからの信号に基づいて不正特徴判別手段は異常を判別できる。
よって、本発明の第1の好ましい実施の態様のコインセレクタは不正がなされた場合、異常信号を出力できる利点がある。
【手続補正４】
【補正対象書類名】明細書
【補正対象項目名】０００９
【補正方法】変更
【補正の内容】
【０００９】
本発明の第2の好ましい実施の態様において、被動片は構成する不正防止のための変位通路案内体であるので、変位通路案内体はコイン通路におけるコインセンサ側への不正器具の挿入を防止でき、また、糸吊り等の不正を防止できる。
【手続補正５】
【補正対象書類名】明細書
【補正対象項目名】００１０
【補正方法】変更
【補正の内容】
【００１０】
本発明の第3の好ましい実施の態様において、被動片はコインセンサの下流に配置した前記コイン通路における前記コインの転動方向の通過は許容するが逆方向の通過を許容しない不正防止のためのシャッタ手段であるので、器具をコイン出口から挿入した場合、シャッタ手段はコイン通路の遮蔽位置に保持される。
よって、不正用器具をコインの出口から挿入する不正を防止することができる利点がある。
【手続補正６】
【補正対象書類名】明細書
【補正対象項目名】００１１
【補正方法】変更
【補正の内容】
【００１１】
本発明の第4の好ましい実施の態様において、シャッタ手段は支軸周りを回動可能な板状体であり、自己モーメントによりに前記コイン通路の遮蔽位置に保持され、かつ、前記コイン通路を転動するコインに押されて開放位置へ移動され、逆方向からの押動時は前記遮蔽位置に保持される。
そうすると、不正のために出口から器具を挿入した場合、その先端はシャッタ手段を押すので、シャッタ手段の先端はコイン通路を遮断するよう押され、コイン通路を遮蔽する。
よって、不正用器具を出口から挿入することによる不正を行うことが極めて困難である利点がある。
【手続補正７】
【補正対象書類名】明細書
【補正対象項目名】００５１
【補正方法】変更
【補正の内容】
【００５１】
C コイン
106 コイン通路
108 真偽判別手段
116 コインセンサ
304、306 変位センサ
318 不正特徴判別手段
ES 不正信号
186 案内体
124 シャッタ手段
264、266 支軸
262 板状体
302  被動片
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
表面に複数種類の図柄を含む環状の図柄列が形成された複数の可動表示体を備えた図柄変動表示装置を備え、前記図柄変動表示装置は前記複数の可動表示体を回転させて図柄の表示を変動させる一方、前記複数の可動表示体の回転を停止させて前記各可動表示体について前記図柄列の一部を構成する所定個数分の図柄群を前記図柄変動表示装置内の所定箇所に表示可能とする図柄表示部を有し、遊技価値の投入と遊技者の始動操作により複数の前記可動表示体の回転を開始させ、全ての前記可動表示体の停止操作が受け付けられると、前記図柄表示部に１回のゲームの結果を表示する遊技機であって、
１回のゲームごとに予め決められた複数の当選役及びハズレ役の中からいずれかを選び出す抽選を行う内部抽選手段と、
前記内部抽選手段による内部抽選の結果に基づいて、回転する複数の前記可動表示体の停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせ態様を有効とする表示位置を決定する有効表示位置決定手段と、
停止状態となった個々の前記可動表示体における前記所定個数分の図柄群のうち、前記有効表示位置上に所定の図柄が含まれているか否かを判定する図柄表示判定手段と、
全ての前記可動表示体が停止した場合、前記図柄表示判定手段により判定された前記所定の図柄の組み合わせが前記当選役に対応する図柄の組み合わせと一致するか否かを判定する当選役図柄表示判定手段と、
前記複数の当選役は、所定期間に遊技価値を連続的に増加させることの可能な特別遊技状態に遊技状態を移行させる契機となる特別当選役を少なくとも複数有し、
前記内部抽選の結果として前記特別当選役が選び出されると、少なくとも数回のゲーム以内に当該当選役が特別当選役であることを教示する特別当選役教示手段と
を備え、
複数の前記特別当選役は、少なくとも２種類の異なる特定図柄によって構成可能な組み合わせのうちで、それぞれ全て同種類の前記特定図柄から形成された単図柄組み合わせ、もしくは前記２種類の特定図柄のいずれをも含んで形成された複図柄組み合わせ、にそれぞれ対応付けられており、
前記特別当選役教示手段による前記教示が実行された後に、前記図柄表示判定手段により判定された前記可動表示体における前記所定の図柄が、前記内部抽選の結果として選び出された前記特別当選役に対応する前記特定図柄と一致すると判定された場合、前記図柄表示部に当該特別当選役に対応する当該特定図柄が表示されたことを教示する正解特定図柄教示手段と
を備えることを特徴とする遊技機。
【請求項２】
前記複数の特別当選役は、それぞれ前記特別遊技状態にて付与される遊技価値の総数が同程度である
請求項１に記載の遊技機。
【請求項３】
所定期間に消費される遊技価値の総数の多い通常遊技状態に比べて、前記消費される遊技価値の総数の少ない有利遊技状態にてゲームの進行を制御する有利遊技状態制御手段と、
前記内部抽選の結果として前記特別当選役が選び出されると前記有利遊技状態制御手段による遊技状態の制御を開始させる有利遊技状態開始手段と
をさらに備える請求項１または２に記載の遊技機。
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄表示部内に１回のゲームの結果を表示する遊技機であって、
１回のゲームごとに予め決められた複数の当選役及びハズレ役の中からいずれかを選び出す抽選を行う内部抽選手段と、
前記内部抽選手段による内部抽選の結果に基づいて、変動する複数の前記可動表示体の停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせが表示されたか否かを判定する当選役図柄表示判定手段と、
前記複数の当選役は、前記内部抽選の結果として選び出される前記当選役として、所定期間にて遊技価値の付与される機会を増加させた第１特別遊技状態に遊技状態を移行させる契機となる第１特別当選役、並びに、所定期間にて付与される遊技価値の総数が前記第１特別遊技状態に比べて少ない第２特別遊技状態に遊技状態を移行させる契機となる第２特別当選役を少なくとも有し、
前記第１特別当選役及び前記第２特別当選役のいずれかが前記内部抽選の結果として選び出された場合、前記第１特別当選役及び前記第２特別当選役をまとめて特別当選役として当該当選役が前記特別当選役であることを教示する特別当選役教示手段とを備え、
前記第２特別当選役に対応する図柄の組み合わせ態様は、前記第１特別当選役に対応する図柄の組み合わせ態様に比べて、その形成される図柄のうち、多くとも１つの所定図柄だけが異なる組み合わせ態様からなり、
前記特別当選役教示手段は、
前記内部抽選の結果として前記特別当選役が選び出されてから少なくとも数回の遊技が行われているうちに、前記第１特別当選役及び前記第２特別当選役との区別を決定付ける前記所定図柄以外の教示を第１の教示として実行する所定図柄外教示手段と、
前記所定図柄外教示手段による前記教示が実行されてから、さらに数回の遊技が行われているあいだは前記所定図柄の教示を遅延する所定図柄教示遅延手段と
を備えることを特徴とする遊技機。
【請求項２】
所定期間に消費される遊技価値の総数の多い通常遊技状態に比べて、前記消費される遊技価値の総数の少ない有利遊技状態にてゲームの進行を制御する有利遊技状態制御手段と、
前記内部抽選の結果として前記特別当選役が選び出されると前記有利遊技状態制御手段による遊技状態の制御を開始させる有利遊技状態開始手段と
をさらに備える請求項１に記載の遊技機。
【請求項３】
前記有利遊技状態制御手段は、
前記有利遊技状態開始手段により前記有利遊技状態が開始となった場合、前記当該特別当選役に対応する図柄の組み合わせ態様が表示されたと前記当選役図柄表示判定手段により判定されるまで、前記有利遊技状態を継続させる
請求項２に記載の遊技機。
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄表示部内に１回のゲームの結果を表示する遊技機であって、
１回のゲームごとに予め決められた複数の当選役及びハズレ役の中からいずれかを選び出す抽選を行う内部抽選手段と、
前記内部抽選手段による内部抽選の結果に基づいて、変動する複数の前記可動表示体の停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせが表示されたか否かを判定する当選役図柄表示判定手段と、
前記複数の当選役は、所定期間に遊技価値を連続的に増加させることの可能な特別遊技状態に遊技状態を移行させる契機となる特別当選役を少なくとも複数有し、
前記内部抽選の結果として前記特別当選役が選び出されると、少なくとも数回のゲーム以内に当該当選役が特別当選役であることを教示する特別当選役教示手段と
を備え、
複数の前記特別当選役に対応する図柄の組み合わせ態様は、少なくとも２種類の異なる特定図柄のうち、全て同種類の前記特定図柄から形成された組み合わせ、もしくは前記２種類の特定図柄のいずれをも含んで形成された組み合わせ、の双方を有し、
前記特別当選役教示手段による前記教示が実行された後に、当該特別当選役に対応する図柄の組み合わせを形成する前記２種類の特定図柄のうち、多数含まれる前記特定図柄のみを教示する特定図柄教示手段と、
を備えることを特徴とする遊技機。
【請求項２】
前記複数の特別当選役は、それぞれ前記特別遊技状態にて付与される遊技価値の総数が同程度である
請求項１に記載の遊技機。
【請求項３】
所定期間に消費される遊技価値の総数の多い通常遊技状態に比べて、前記消費される遊技価値の総数の少ない有利遊技状態にてゲームの進行を制御する有利遊技状態制御手段と、前記内部抽選の結果として前記特別当選役が選び出されると前記有利遊技状態制御手段による遊技状態の制御を開始させる有利遊技状態開始手段と
をさらに備える請求項２に記載の遊技機。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
被検体の内部に挿入される細長の挿入部を有して前記被検体の内部を照明する照明装置であって、
前記挿入部の基端側に設けられ、励起光を発する光源部と、
前記挿入部の基端側から先端側へ配設されて、前記光源部からの前記励起光を先端側まで導光する第一の光伝送部と、
該第一の光伝送部の先端に設けられ、前記励起光によって励起されて照明光を射出する蛍光部材と、
該蛍光部材の近傍に設けられ、該蛍光部材から射出された前記照明光の光量を検出して検出信号を出力する光検出部と、
前記蛍光部材を内部に収容し、基端部から入力された前記励起光を、前記蛍光部材を介して先端部から照明光を射出するケースと、
を備え、
前記光検出部は、前記ケースに設けられた検出口から前記ケースの外部へ漏れ出す光を検出することを特徴とする照明装置。
【請求項２】
請求項１に記載の照明装置において、
前記検出口は、前記ケースの前記照明光の射出方向に対する側面に形成されていることを特徴とする照明装置。
【請求項３】
請求項２に記載の照明装置において、
前記蛍光部材は、前記励起光によって蛍光する蛍光体と、前記励起光を散乱させる光散乱体とが混合して形成され、
前記ケースの前記検出口は、前記蛍光部材と当接する側面に形成されていることを特徴とする照明装置。
【請求項４】
請求項２または請求項３に記載の照明装置において、
前記検出口から外部へ漏れ出す照明光を前記挿入部の軸方向に反射させる反射手段と、
該反射手段で反射した前記照明光を前記軸方向に沿って導光する導光ロッドとを備え、
前記光検出部は、前記蛍光部材と前記軸方向に位置を異なるものとして、前記導光ロッドで導光された前記照明光を検出することを特徴とする照明装置。
【請求項５】
請求項１から請求項４のいずれかに記載の照明装置において、
前記蛍光部材の近傍に設けられ、前記光検出部から出力された前記検出信号を増幅して伝送する増幅器を備えることを特徴とする照明装置。
【請求項６】
請求項１から請求項５のいずれかに記載の照明装置において、
前記光検出部は、前記照明光の光量を異なる波長領域に分離して検出可能に複数の光センサを有することを特徴とする照明装置。
【請求項７】
請求項１から請求項６のいずれかに記載の照明装置において、
前記光検出部は、前記照明光の内、前記光源部から発せられる前記励起光の波長と略等しい波長の光量を検出する第一の光センサを有することを特徴とする照明装置。
【請求項８】
請求項１から請求項７のいずれかに記載の照明装置において、
前記光検出部は、前記照明光の内、前記光源部から発せられる前記励起光の波長以外の波長の光量を検出する第二の光センサを有することを特徴とする照明装置。
【請求項９】
請求項１から請求項８のいずれかに記載の照明装置において、
前記挿入部の内部で、前記蛍光部材よりも先端側に配設されて、該蛍光部材からの前記照明光を導光する第二の光伝送部を備えることを特徴とする照明装置。
【請求項１０】
請求項１から請求項９のいずれかに記載の照明装置において、
前記第一の光伝送部は、ライトガイドであることを特徴とする照明装置。
【請求項１１】
請求項１から請求項１０のいずれかに記載の照明装置と、
前記挿入部の先端に設けられ、前記被検体の内部を観察可能な観察手段とを備えることを特徴とする内視鏡装置。
【手続補正２】
【補正対象書類名】明細書
【補正対象項目名】０００６
【補正方法】変更
【補正の内容】
【０００６】
上記課題を解決するために、この発明は以下の手段を提案している。
本発明は、被検体の内部に挿入される細長の挿入部を有して前記被検体の内部を照明する照明装置であって、前記挿入部の基端側に設けられ、励起光を発する光源部と、前記挿入部の基端側から先端側へ配設されて、前記光源部からの前記励起光を先端側まで導光する第一の光伝送部と、該第一の光伝送部の先端に設けられ、前記励起光によって励起されて照明光を射出する蛍光部材と、該蛍光部材の近傍に設けられ、該蛍光部材から射出された前記照明光の光量を検出して検出信号を出力する光検出部と、前記蛍光部材を内部に収容し、基端部から入力された前記励起光を、前記蛍光部材を介して先端部から照明光を射出するケースと、を備え、前記光検出部は、前記ケースに設けられた検出口から前記ケースの外部へ漏れ出す光を検出することを特徴としている。